(57)【要約】      （修正有）【課題】郵便受け、宅配ボックス、ロッカー、点検口、傘収納箱等の箱物の開口部に取付て、錠前や丁番、そして郵便受けにあっては、郵便受けの投入口を有した扉を容易に箱物の開口部に取付るための開口部枠を提供する。【解決手段】箱物の縁部に嵌合可能な外周部４と第１のコーナージョイント嵌挿溝２並びに第２のコーナージョイント嵌挿溝３からなる同一断面形状の開口部用枠材１を適宜長さに留め切りして四方枠１４を形成し、該四方枠１４の四隅で互いに対向する第１のコーナージョイント嵌挿溝２と第２のコーナージョイント嵌挿溝３間にそれぞれＬ型ジョイント金具５を嵌挿固着することで四方枠１４を連結形成可能となし、該扉１７が前記開口部用枠材１からなる四方枠１４前面に形成され前記箱物の開口部の前面を化粧した箱物の開口部枠。【選択図】図６
2006230542.tif 000002
【特許請求の範囲】
【請求項１】
箱物が形成する一つの開口部または該箱物を積み重ねたり集合させて形成される複数の開口部、並びに大きな箱物を内部で仕切り複数の開口部を形成した郵便受けや、集合郵便受け、或いは、宅配ボックス、ロッカー、傘収納箱等において、
前記箱物の一つまたは複数個の開口部前面にはそれぞれ開口部が形成する開口部の縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、
該四方枠の四隅で互いに対向する第１のコーナージョイント嵌挿溝と第２のコーナージョイント嵌挿溝間にそれぞれＬ型ジョイント金具を嵌挿固着することで四方枠を連結形成可能となし、
該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、
該一対の扉の回転軸間で開閉可能に扉を装着し、
該扉が前記開口部用枠材からなる四方枠前面に形成され前記箱物の開口部前面を化粧したこと、
を特徴とする箱物の開口部枠。
【請求項２】
箱物が形成する一つの開口部または該箱物を集合させて形成される複数の開口部、並びに大きな箱物を内部で仕切り複数の開口部を形成した傘収納箱において、
前記傘収納用の箱物は一つまたは複数個の開口部前面にそれぞれの開口部が形成する開口部の縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、
該四方枠の四隅で互いに対向する第１のコーナージョイント嵌挿溝と第２のコーナージョイント嵌挿溝間にそれぞれＬ型ジョイント金具を嵌挿固着することで四方枠を連結形成可能となし、
該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、
該一対の扉の回転軸間で開閉可能に扉を装着し、該扉の裏面に傘の取っ手あるいは紐を掛けるフックを設けたこと、
を特徴とする箱物の開口部枠を用いた傘収納箱。
【請求項３】
前記開口部用枠材に形成された第２コーナージョイント溝に錠前の受け部を嵌挿して固着し、該錠前受け部に対向した扉にダイヤル錠やラッチロック錠を設置して該錠前のラッチ部が脱着自在に構成され、該錠前の施錠並びに開錠操作が開口部用枠材と該開口部用枠材に装着される扉間で行われること、
を特徴とする請求項１または請求項２の何れかに記載された箱物の開口部枠。
【請求項４】
前記開口部用枠材からなる四方枠を組み立てるに際して扉の回転軸を有したＬ型ジョイント金具は扉の開き勝手を任意に選択して前記開口部用枠材の第１のコーナージョイント嵌挿溝に嵌挿でき、該構成による任意に扉の開き勝手を開口部用枠材と該開口部用枠材に装着される扉間で行われること、
を特徴とする請求項１または請求項２のいずれかに記載された箱物の開口部枠。
【請求項５】
前記開口部が形成する開口部縁部に嵌合可能な外周部と第１のコーナージョイント嵌挿溝並びに第２のコーナージョイント嵌挿溝からなる同一断面形状の開口部用枠材はアルミ押出型材または合成樹脂押出型材にて構成されていること、
を特徴とする請求項１乃至請求項４の何れかに記載された箱物の開口部枠。
【請求項６】
ステンレス薄板等から成る大きな箱物を内部で仕切り複数個の開口部を有する集合郵便受け等において、損傷の大きな扉並びに丁番や錠前受け金物を撤去し、
該開口部前面にそれぞれ開口部が形成する開口部縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、
該四方枠の四隅で互いに対向する第１のコーナージョイント嵌挿溝と第２のコーナージョイント嵌挿溝間にそれぞれＬ型ジョイント金具を嵌挿固着することで四方枠を連結形成し、
該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、
該一対の扉の回転軸間でそれぞれ開閉可能に扉を装着し、
該それぞれの扉と前記開口部用枠材からなる四方枠により前記箱物の開口部を化粧すること、
を特徴とする開口部枠を用いた箱物の扉改修方法。
【発明の詳細な説明】
【技術分野】
【０００１】
本発明は、郵便受け、宅配ボックス、ロッカー、点検口、傘収納箱、下足箱、学校施設やオフィス等のレポートや書類受け箱、複数の開口を有する分別用ゴミ箱等の箱物の開口部枠に関するものであり、該箱物の開口部枠は、木製や、スチール、ステンレス、アルミ等の金属製の仕切りや箱物の開口部に同様の材質で形成された扉を容易に取付るための開口部枠を提供するものである。
【０００２】
本発明は、特に上記箱物の開口部に、木製やスチール、ステンレス、アルミ、琺瑯、ガラス、合成樹脂等の材質で形成された扉を設けるにあたり、該扉用の丁番（本発明においては扉の回転軸）や錠前、錠前の受け部を簡単且つ容易に構成でき、そして、美麗に製作できる箱物の開口部枠に関するものである。
【０００３】
また、本発明は、上記箱物の扉を容易に木製やスチール、ステンレス、アルミ、琺瑯、ガラス、合成樹脂等の材質で形成され新しい綺麗な扉に交換できる箱の開口部枠を提供するもので、これらは一部の扉が壊れてしまった集合郵便受け等のリフォームに強力な力を発揮する箱物の扉改修方法に関するものである。
【背景技術】
【０００４】
木製や、スチール、ステンレス、アルミ等の金属製の箱物に丁番を用いて扉を取付たり、錠前を取付て、郵便受け、宅配ボックス、ロッカー、点検口、傘収納箱、下足箱、学校施設やオフィス等のレポートや書類受け箱、複数の開口を有する分別用ゴミ箱等の箱物を製作することは、非常に工程上手間の掛かる仕事である。
特に大きな箱物に仕切りを設けて、該仕切り毎に扉や錠前を設置した箱物の製作は、熟練と経験が必要な職人の仕事となる。
【０００５】
而して、製作工場内に置いても、工程上、非常に手間の掛かる熟練工の仕事を軽減して、効率よく箱物を製造するために設計や製造部品の形状検討等、種々の試みがなされている。
【０００６】
また、大きな箱物に仕切りを設け、該仕切り毎に扉や錠前を設置した箱物の一例として、マンション等に用いられる集合郵便受けがある。
集合郵便受けは、一般的に、ステンレスの薄板、例えば厚さ０．８から１ｍｍ等の板材を曲げ加工して、大きな箱物を製作し、該箱物内部に仕切りを設け、仕切り毎にステンレスの扉を取付けて、複数戸の集合郵便受けを形成しているものである。
【０００７】
而して上記従来型の郵便受けの形状例を図１５に示し説明する。
図１５において、５０は集合郵便受け、５１は天板、５２、５２’は側板、５３は底板を示しており、該天板５１、側板５２、５２’、並びに底板５３にて構成される大きな箱物の内側は仕切り板５４、５５にて仕切られている。
そして、前記仕切り板５４、５５、並びに天板５１、側板５２、５２’、底板５３にて構成される開口部５６a、５６ｂ、５６ｃ・・・には、それぞれ扉５７a、５７ｂ、５７ｃ・・・が丁番５８a、５８ｂ、５８ｃ、５８ｄ・・・を介して装着されている。
【０００８】
尚、５９a、５９ｂ、５９ｃ・・・はステンレス薄板を曲げ加工して製作された引手と錠前取付用の受け金物であり、６０a、６０ｂ、６０ｃ・・・は投函口、６１a、６１ｂ、６１ｃ・・・はネームプレート入れ、６２a、６２ｂ、６２ｃ・・・は郵便物確認用のスリット孔である。
【０００９】
而して、上記集合郵便受け５０は、主に住宅公団用の集合郵便受けとして大量に使用されてきたが、該集合郵便受け５０の欠点は、薄板で製作されていることから、簡単に打痕やへこみ、そり、曲がりがつきやすく、長年の使用で必ず複数戸の扉５７a、５７ｂ、５７ｃ・・・の内、何個かの扉や丁番５８a、５８ｂ、５８ｃ、５８ｄ・・・が破損して全体として見苦しいものになってしまうことや、引手と錠前取付用の受金物５９a、５９ｂ、５９ｃ・・・が同様の薄板で突出して設けられていることから、指を損傷する等のケガが多発する等の欠点があり、築１０年程で必ず住宅管理組合の修理、改修品目に上げられるものであった。
【００１０】
然しながら、上記、集合郵便受け５０において扉５７a、５７ｂ、５７ｃ・・・等のみの改修は、通常、リフォーム業者は引き受けてくれない。
これは、集合郵便受け５０の扉５７a、５７ｂ、５７ｃ・・・が、ネームプレート入れ６１a、６１ｂ、６１ｃ・・・や、郵便物確認用のスリット孔６２a、６２ｂ、６２ｃ・・・等、それぞれ独自の加工が施されている他、丁番５８a、５８ｂ、５８ｃ、５８ｄ・・・等の取付や、引手と錠前受け金具５９a、５９ｂ、５９ｃ・・・等の取付は、ステンレスの薄板にアーク溶接にて取り付ける等、厄介な取付作業がある割に、加工や施工手間が採算ベースに乗らないことが要因である。
【００１１】
従って、この種の集合郵便受けの改修工事は、新しい集合郵便受けとの交換工事になっていることが多く、まだ十分に使用できる郵便受け本体の箱物部をも撤去して廃棄処分としてしまう等、資源の無駄遣いを余儀なくされている。
【発明の開示】
【発明が解決しようとする課題】
【００１２】
本発明が解決しようとする課題は、郵便受け、宅配ボックス、ロッカー、点検口、傘収納箱、下足箱、学校施設やオフィス等のレポートや書類受け箱、複数の開口を有する分別用ゴミ箱等の箱物の開口部に取付て、錠前や丁番、そして郵便受けにあっては、郵便受けの投入口を有した扉を容易に箱物の開口部に取付るための開口部枠を提供するものである。
【００１３】
また、本発明は、特に上記箱物の開口部に、木製やスチール、ステンレス、アルミ、琺瑯、ガラス、合成樹脂等の材質で形成された扉を設けるにあたり、該扉用の回転軸（丁番）や錠前、錠前の受け部を簡単且つ容易に構成でき、そして、美麗に製作できる箱物の開口部枠を提供するものである。
【００１４】
また、本発明は上記箱物の開口部枠並びに扉を用いた新規で利用しやすい傘収納箱を提供するものである。
【００１５】
更にまた、本発明は、郵便受け、宅配ボックス、ロッカー、傘収納箱、下足箱、学校施設やオフィス等のレポートや書類受け箱、複数の開口を有する分別用ゴミ箱等の箱物の扉を容易に木製やスチール、ステンレス、アルミ、琺瑯、ガラス、合成樹脂等の材質で形成され新しい綺麗な扉に交換できる箱の開口部枠を提供するもので、これらは一部の扉が壊れてしまった集合郵便受け等のリフォームに強力な力を発揮する箱物の開口部枠を用いた箱物の扉改修方法を提供するものである。
【課題を解決するための手段】
【００１６】
本発明は、箱物が形成する一つの開口部または該箱物を積み重ねたり集合させて形成される複数の開口部、並びに大きな箱物を内部で仕切り複数の開口部を形成した郵便受けや、集合郵便受け、或いは、宅配ボックス、ロッカー、傘収納箱等において、前記箱物の一つまたは複数個の開口部前面にはそれぞれ開口部が形成する開口部の縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、該四方枠の四隅で互いに対向する第１のコーナージョイント嵌挿溝と第２のコーナージョイント嵌挿溝間にそれぞれＬ型ジョイント金具を嵌挿固着することで四方枠を連結形成可能となし、該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、該一対の扉の回転軸間で開閉可能に扉を装着し、該扉が前記開口部用枠材からなる四方枠前面に形成され前記箱物の開口部前面を化粧したこと最も主要な要旨とする。
【００１７】
また、本発明は、箱物が形成する一つの開口部または該箱物を集合させて形成される複数の開口部、並びに大きな箱物を内部で仕切り複数の開口部を形成した傘収納箱において、前記傘収納用の箱物は一つまたは複数個の開口部前面にそれぞれの開口部が形成する開口部の縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、該四方枠の四隅で互いに対向する第１のコーナージョイント嵌挿溝と第２のコーナージョイント嵌挿溝間にそれぞれＬ型ジョイント金具を嵌挿固着することで四方枠を連結形成可能となし、該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、該一対の扉の回転軸間で開閉可能に扉を装着し、該扉の裏面に傘の取っ手や紐を掛けるフックを設けたことを特徴とする傘収納箱提供するものである。
【００１８】
また、本発明は開口部用枠材に形成された第２コーナージョイント溝に錠前の受け部を嵌挿して固着し、該錠前受け部に対向した扉にダイヤル錠やラッチロック錠を設置して該錠前のラッチ部が脱着自在に構成され、該錠前の施錠並びに開錠操作が開口部用枠材と該開口部用枠材に装着される扉間で行われることを特徴とする。
【００１９】
また、本発明は、開口部用枠材からなる四方枠を組み立てるに際して扉の回転軸を有したＬ型ジョイント金具は扉の開き勝手を任意に選択して前記開口部用枠材の第１のコーナージョイント嵌挿溝に嵌挿でき、該構成による任意に扉の開き勝手を開口部用枠材と該開口部用枠材に装着される扉間で行われることを特徴とする。
【００２０】
また、本発明は、開口部が形成する開口部縁部に嵌合可能な外周部と第１のコーナージョイント嵌挿溝並びに第２のコーナージョイント嵌挿溝からなる同一断面形状の開口部用枠材はアルミ押出型材または合成樹脂押出型材にて構成されていることを特徴とする。
【００２１】
更にまた、本発明は、ステンレス薄板等から成る大きな箱物を内部で仕切り複数個の開口部を有する集合郵便受け等において、損傷の大きな扉並びに丁番や錠前受け金物を撤去し、該開口部前面にそれぞれ開口部が形成する開口部縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、該四方枠の四隅で互いに対向する第１のコーナージョイント嵌挿溝と第２のコーナージョイント嵌挿溝間にそれぞれＬ型ジョイント金具を嵌挿固着することで四方枠を連結形成し、該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、該一対の扉の回転軸間でそれぞれ開閉可能に扉を装着し、該それぞれの扉と前記開口部用枠材からなる四方枠により前記箱物の開口部を化粧することを特徴とする開口部枠を用いた箱物の扉改修方法を提供するものである。
【発明の効果】
【００２２】
而して、本発明は、郵便受け、宅配ボックス、ロッカー、点検口、傘収納箱、下足箱、学校施設やオフィス等のレポートや書類受け箱、複数の開口を有する分別用ゴミ箱等の箱物の開口部に取付て、錠前や扉の回転軸（丁番）、そして郵便受けにあっては、郵便受けの投入口を有した扉を容易に箱物の開口部に取付るための開口部枠を提供することができた。
【００２３】
また、本発明は、特に箱物の開口部に、木製やスチール、ステンレス、アルミ、琺瑯、ガラス、合成樹脂等の材質で形成された扉を設けるにあたり、該扉用の回転軸や錠前、錠前の受け部を簡単且つ容易に構成でき、そして、美麗に製作できる箱物の開口部枠を提供することができた。
【００２４】
また、本発明は上記箱物の開口部枠並びに扉を用いた新規で利用しやすい傘収納箱を提供することができた。
【００２５】
更にまた、本発明は、郵便受け、宅配ボックス、ロッカー、傘収納箱、下足箱、学校施設やオフィス等のレポートや書類受け箱、複数の開口を有する分別用ゴミ箱等の箱物の扉を容易に木製やスチール、ステンレス、アルミ、琺瑯、ガラス、合成樹脂等の材質で形成され新しい綺麗な扉に交換できる箱の開口部枠を提供するもので、これらは一部の扉が壊れてしまった集合郵便受け等のリフォームに強力な力を発揮する箱物の開口部枠を用いた箱物の扉改修方法を提供することができた。
【発明を実施するための最良の形態】
【００２６】
斯くして、本発明に係る箱物の開口部枠は、該箱物が形成する一つの開口部または該箱物を積み重ねたり集合させて形成される複数の開口部、並びに大きな箱物を内部で仕切り複数の開口部を形成した郵便受けや、集合郵便受け、或いは、宅配ボックス、ロッカー、傘収納箱等において、前記箱物の一つまたは複数個の開口部前面にはそれぞれ開口部が形成する開口部の縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、
該四方枠の四隅で互いに対向する第１のコーナージョイント嵌挿溝と第２のコーナージョイント嵌挿溝間にそれぞれＬ型ジョイント金具を嵌挿固着することで四方枠を連結形成可能となし、該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、該一対の扉の回転軸間で開閉可能に扉を装着し、該扉が前記開口部用枠材からなる四方枠前面に形成され前記箱物の開口部前面を化粧した構成であることが好ましい。。
【００２７】
また、本発明に係る傘収納箱は、該箱物が形成する一つの開口部または該箱物を集合させて形成される複数の開口部、並びに大きな箱物を内部で仕切り複数の開口部を形成したもので、前記傘収納用の箱物は一つまたは複数個の開口部前面にそれぞれの開口部が形成する開口部の縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、該四方枠の四隅で互いに対向する第１のコーナージョイント嵌挿溝と第２のコーナージョイント嵌挿溝間にそれぞれＬ型ジョイント金具を嵌挿固着することで四方枠を連結形成可能となし、該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、該一対の扉の回転軸間で開閉可能に扉を装着し、該扉の裏面に傘の取っ手や紐を掛けるフックを設けた構成であることが好ましい。
【００２８】
また本発明に係る箱物の開口部枠は、開口部用枠材に形成された第２コーナージョイント溝に錠前の受け部を嵌挿して固着し、該錠前受け部に対向した扉にダイヤル錠やラッチロック錠を設置して該錠前のラッチ部が脱着自在に構成され、該錠前の施錠並びに開錠操作が開口部用枠材と該開口部用枠材に装着される扉間で行われる構成であることが好ましい。
【００２９】
また、本発明に係る箱物の開口部枠は、開口部用枠材からなる四方枠を組み立てるに際して、扉の回転軸を有したＬ型ジョイント金具は扉の開き勝手を任意に選択して前記開口部用枠材の第１のコーナージョイント嵌挿溝に嵌挿でき、該構成による任意に扉の開き勝手を開口部用枠材と該開口部用枠材に装着される扉間で行われる構成であることが好ましい。
【００３０】
また、本発明に係る箱物の開口部枠は、開口部が形成する開口部縁部に嵌合可能な外周部と第１のコーナージョイント嵌挿溝並びに第２のコーナージョイント嵌挿溝からなる同一断面形状の開口部用枠材はアルミ押出型材または合成樹脂押出型材にて構成されていることが好ましい。
【００３１】
更にまた、本発明に係る開口部枠を用いた箱物の扉改修方法は、ステンレス薄板等から成る大きな箱物を内部で仕切り複数個の開口部を有する集合郵便受け等において、損傷の大きな扉並びに丁番や錠前受け金物を撤去し、該開口部前面にそれぞれ開口部が形成する開口部縁部に嵌合可能な外周部と第１のコーナージョイント嵌挿溝並びに第２のコーナージョイント嵌挿溝からなる同一断面形状の開口部用枠材を適宜長さに留め切りして四方枠を形成し、該四方枠の四隅で互いに対向する第１のコーナージョイント嵌挿溝と第２のコーナージョイント嵌挿溝間にそれぞれＬ型ジョイント金具を嵌挿固着することで四方枠を連結形成し、該四方枠の対向する辺を構成する開口部用枠材の前記第１のコーナージョイント嵌挿溝には一対の扉の回転軸を有したＬ型ジョイント金具を前記Ｌ字型ジョイント金具に換えて挿着し、該一対の扉の回転軸間でそれぞれ開閉可能に扉を装着し、該それぞれの扉と前記開口部用枠材からなる四方枠により前記箱物の開口部を化粧する方法とすることが好ましい。
【実施例１】
【００３２】
図１乃至図１２は、本発明の実施例１を説明するもので、図１は、本発明に使用される開口部用枠材を示す斜視説明図、図２は本発明に使用される開口部用枠材の断面形状を示す断面図、図３（a）は本発明に使用されるL型ジョイント金具の形状説明図、図３（ｂ）は本発明に使用される扉の回転軸を有したL型ジョイント金具の形状説明図、図３（ｃ）は本発明に使用される錠前受け部の形状説明図である。
【００３３】
また、図４は前記L型ジョイント金具並びに扉の回転軸を有したL型ジョイント金具の使用方法を説明する斜視図、図５は前記錠前受け部の使用方法を説明する斜視図、図６は前記L型ジョイント金具を用いて開口部用枠材並びに扉の組立手順を示す組み立て図、図７は開口部枠材に扉を組み込んだ状態を示す斜視説明図である。
【００３４】
また、図８は開口部枠材に小ロッカー等の扉を組み込んだ状態を示す斜視説明図、図９は前記ロッカー等の扉において、扉の開き勝手を任意に変更する方法の説明図、図１０は錠前受け部とダイヤル錠の関係を示す説明図、図１１並びに図１２は、扉の開き勝手を変えた小ロッカーの実例を示す説明図である。
【００３５】
図１乃至図１７において、１は開口部用枠材、２は第１のコーナージョイント嵌挿溝、３は第２のコーナージョイント嵌挿溝、４は外周部である。
また、特に図３（a）において、５は第１並びに第２のコーナージョイント嵌挿溝２、３にコーナー部において嵌挿されるL型ジョイント金具、６a、６ｂはその嵌挿部、７a、７ｂ、７ｃはジョイント固着用ビス孔である。
図３（ｂ）において、８は扉の回転軸９を有するL型ジョイント金具、１０a、１０ｂはその嵌挿部、１１a、１１ｂはジョイント固着用ビス孔である。
図３（ｃ）いおいて、１２は前記第２のコーナージョイント嵌挿溝３に嵌挿される錠前の受け部、１３a、１３ｂは該錠前の受け部固着用ビス孔である。
【００３６】
而して、図４において、回転軸９を有するL型ジョイント金具８は矢印Aの如く開口部用枠材１に設けられた第１のコーナージョイント嵌挿溝２に装着され、また、L型ジョイント金具５は矢印Bの如く開口部用枠材１に設けられた第２のコーナージョイント嵌挿溝３に装着される。
また、図５においては、前記錠前の受け部１２が矢印Cの如く開口部用枠材１に設けられた第２のコーナージョイント嵌挿溝３に装着される。
【００３７】
図６は、箱物が構成する開口部の縁部に嵌合可能な外周部４、第１のコーナージョイント嵌挿溝２、並びに第２のコーナージョイント嵌挿溝３からなる同一断面形状の開口部用枠材１を適宜長さに留め切りして、四方枠１４を形成し、該四方枠１４にダイヤル錠１５並びに郵便物の投入口１６を有する扉１７を組み込む状況を示している。
【００３８】
また、図６においては、留め切りされた開口部用枠材１のコーナー部あって二つのL型ジョイント金具５を用いる部分と、扉１７を回転可能に支持するために、回転軸９を有するL型ジョイント金具８と、前記L型ジョイント金具５を併用している部分が示されている。尚、扉１７には回転軸９が嵌着される軸孔１８a、１８ｂが穿設されている。
【００３９】
斯くして、図７は上記手順にて組み立てられた集合郵便受け用の開口部用枠材１と扉１７が示されている。そして開口部用枠材１の下方には、前記開口部の縁部に嵌合可能な外周部４を有しており、該外周部４が集合郵便受けの開口部に嵌合、固着され、開口部に扉を形成する。
図８も同様に例えば小ロッカー用の扉１７で開口部用枠材１の下方には、前記開口部の縁部に嵌合可能な外周部４を有しており、該外周部４が小ロッカーの開口部の縁部に嵌合、固着され開口部に扉を形成するものである。
【００４０】
図９は、上記小ロッカー用の扉１７を例に前記回転軸９を有するL型ジョイント金具８とL型ジョイント金具５の組み合わせ使い方で扉１７の開口勝手を開口部用枠材１と扉１７のみの関係で如何様にも変えることができることを示している。即ち、本発明の要旨として、開口部用枠材１と扉１７間で扉の回転軸９（丁番）、錠前の開閉動作機構を全てまとめてしまう構成上の特徴がある。
【００４１】
図１０は、前記ダイヤル錠１５と錠前の受け部１２の関係をしめすもので、
１９はダイヤル錠１５のラッチ部、２０は該ラッチを回動可能に支持した支持軸で前記ダイヤル錠１５の操作により、ラッチ２０は錠前受け部１２に着脱操作され、ダイヤル錠１５の施錠、開錠がなされる。
尚、図１において、２１は集合郵便受け、または小ロッカーの開口部を示し、該開口部２１には、開口部用枠部材１の外周部４が嵌合、固着されている。
【００４２】
また、図１１、図１２は、箱物２２の開口部２１a、２１ｂ、２１ｃ・・・にそれぞれ図７、図８にて説明した本発明の開口部枠材１と扉１７の組み合わせ部材を嵌合固着して、扉１７を有する小ロッカー等を形成した例を示している。
図１１と図１２の異なる点は、扉１７の開口勝手が異なることであるが、本発明においては、このような変更は、扉１７と開口部枠材１間で容易におこなえる。
【００４３】
而して、実施例１は、箱物２２が形成する一つの開口部、または該箱物を積み重ねたり集合させて形成される複数の開口部２１a、２１ｂ、２１ｃ・・・等、並びに大きな箱物を内部で仕切り複数の開口部２１a、２１ｂ、２１ｃ・・・等を形成した郵便受けや、集合郵便受け、或いは、宅配ボックス、ロッカー、傘収納箱等において、前記箱物２２の一つまたは複数個の開口部前面にはそれぞれ開口部が形成する開口部の縁部に嵌合可能な外周部４と第１のコーナージョイント嵌挿溝２並びに第２のコーナージョイント嵌挿溝３からなる同一断面形状の開口部用枠材１を適宜長さに留め切りして四方枠１４を形成し、該四方枠１４の四隅で互いに対向する第１のコーナージョイント嵌挿溝２と第２のコーナージョイント嵌挿溝３間にそれぞれＬ型ジョイント金具５を嵌挿固着することで四方枠１４を連結形成可能となし、該四方枠１４の対向する辺を構成する開口部用枠材１の前記第１のコーナージョイント嵌挿溝２には一対の扉の回転軸９を有したＬ型ジョイント金具８を前記Ｌ字型ジョイント金具５に換えて挿着し、該一対の扉の回転軸９間で開閉可能に扉１７を装着し、該扉１７が前記開口部用枠材１からなる四方枠１４前面に形成され前記箱物２２の開口部２１a、２１ｂ、２１ｃ・・・等の前面を化粧した箱物の開口部枠を提供するものである。
【００４４】
また、本発明は、前記開口部用枠材１に形成された第２コーナージョイント溝３に錠前の受け部１２を嵌挿して固着し、該錠前受け部１２に対向した扉１７にダイヤル錠１５やラッチロック錠等を設置して該錠前のラッチ部１９が脱着自在に構成され、該錠前の施錠並びに開錠操作が開口部用枠材１と該開口部用枠材１に装着される扉１７間で行われるよう構成した箱物の開口部枠を提供するものである。
【００４５】
また、本発明は、前記開口部用枠材１からなる四方枠１４を組み立てるに際して扉の回転軸９を有したＬ型ジョイント金具８は扉１７の開き勝手を任意に選択して前記開口部用枠材１の第１のコーナージョイント嵌挿溝２に嵌挿でき、該構成による任意な扉１７の開き勝手を開口部用枠材１と該開口部用枠材１に装着される扉１７間で行う箱物の開口部枠を提供するものである。
【００４６】
また、本発明の前記開口部２１a、２１ｂ、２１ｃ・・・等が形成する開口部縁部に嵌合可能な外周部４と第１のコーナージョイント嵌挿溝２並びに第２のコーナージョイント嵌挿溝３からなる同一断面形状の開口部用枠材１はアルミ押出型材または合成樹脂押出型材にて構成されている。
【実施例２】
【００４７】
図１３は、本発明の実施例２を示す斜視説明図であり、図１３において、複数の開口部２１a、２１ｂ、２１ｃ・・・を有する箱物２２は奥行きがあり、傘を十分に収納できる深さを有している。そして、複数の開口部２１a、２１ｂ、２１ｃ・・・には、外周部４を嵌合固着して取り付けられる開口部用枠材１からなる四方枠１４と扉１７、並びにダイヤル錠１５設置されている。また、扉１７の内部側、即ち、扉１７の裏面には傘の取っ手２３を掛けるフック２４が設けられている。
【００４８】
而して、実施例２は、箱物２２が形成する一つの開口部または該箱物を集合させて形成される複数の開口部２１a、２１ｂ、２１ｃ・・・、並びに大きな箱物を内部で仕切り複数の開口部２１a、２１ｂ、２１ｃ・・・を形成した傘収納箱において、
前記傘収納用の箱物２２は一つまたは複数個の開口部前面にそれぞれの開口部が形成する開口部の縁部に嵌合可能な外周部４と第１のコーナージョイント嵌挿溝２並びに第２のコーナージョイント嵌挿溝３からなる同一断面形状の開口部用枠材１を適宜長さに留め切りして四方枠１４を形成し、
該四方枠１４の四隅で互いに対向する第１のコーナージョイント嵌挿溝２と第２のコーナージョイント嵌挿溝３間にそれぞれＬ型ジョイント金具５を嵌挿固着することで四方枠１４を連結形成可能となし、
該四方枠１４の対向する辺を構成する開口部用枠材１の前記第１のコーナージョイント嵌挿溝２には一対の扉の回転軸９を有したＬ型ジョイント金具８を前記Ｌ字型ジョイント金具５に換えて挿着し、
該一対の扉の回転軸９間で開閉可能に扉１７を装着し、該扉１７の裏面に傘の取っ手２３を掛けるフック２４を設けた箱物の開口部枠を用いた傘収納箱を提供するものである。
【実施例３】
【００４９】
図１４は、本発明の実施例３を示す斜視説明図であり、図１４において、２５はステンレス等の薄板を折り曲げ加工して製作された集合郵便受けの本体を示す、２６は該郵便受けの本体の天板、２７は側板、２８は底板で、該大きな箱物は仕切り板２９、３０にて区切られ、複数個の開口部２１a、２１ｂ、２１ｃ・・・を構成している。
【００５０】
而して、実施例３の図１４は、ステンレス薄板等から成る大きな箱物を内部で仕切り複数個の開口部を有する集合郵便受け等において、損傷の大きな扉並びに丁番や錠前受け金物を撤去した状態を示しており、複数個の開口部２１a、２１ｂ、２１ｃ・・・が前面にでてきている。
【００５１】
従って、開口部２１a、２１ｂ、２１ｃ・・・の前面にそれぞれ開口部縁部に嵌合可能な外周部４と第１のコーナージョイント嵌挿溝２並びに第２のコーナージョイント嵌挿溝３からなる同一断面形状の開口部用枠材１を適宜長さに留め切りして四方枠１４を形成し、該四方枠１４の四隅で互いに対向する第１のコーナージョイント嵌挿溝２と第２のコーナージョイント嵌挿溝３間にそれぞれＬ型ジョイント金具５を嵌挿固着することで四方枠１４を連結形成した。
【００５２】
そして、前記四方枠１４の対向する辺を構成する開口部用枠材１の前記第１のコーナージョイント嵌挿溝２には回転軸９を有したＬ型ジョイント金具８を前記Ｌ字型ジョイント金具５に換えて挿着し、該扉１７の回転軸８間でそれぞれ開閉可能に扉１７を装着し、該それぞれの扉１７と前記開口部用枠材１からなる四方枠１４により前記箱物の開口部２１a、２１ｂ、２１ｃ・・・を化粧する箱物の扉改修方法を提供することができた。
斯くして、上記箱物の扉改修方法は、特に公団住宅用に販売され、改修要望の大きい集合郵便受けの改修方法として最適である。
【産業上の利用可能性】
【００５３】
本発明は、郵便受け、宅配ボックス、ロッカー、点検口、傘収納箱、下足箱、学校施設やオフィス等のレポートや書類受け箱、複数の開口を有する分別用ゴミ箱等の箱物の開口部に取付て、錠前や扉の回転軸（丁番）、そして郵便受けにあっては、郵便受けの投入口を有した扉を容易に箱物の開口部に取付るための開口部枠を提供することができた。
【００５４】
また、本発明は、郵便受け、宅配ボックス、ロッカー、傘収納箱、下足箱、学校施設やオフィス等のレポートや書類受け箱、複数の開口を有する分別用ゴミ箱等の箱物の扉を容易に木製やスチール、ステンレス、アルミ、琺瑯、ガラス、合成樹脂等の材質で形成され新しい綺麗な扉に交換できる箱の開口部枠を提供するもので、これらは一部の扉が壊れてしまった集合郵便受け等のリフォームに強力な力を発揮する箱物の開口部枠を用いた箱物の扉改修方法を提供することができるもので、その産業上の利用価値は多大なものがある。
【図面の簡単な説明】
【００５５】
【図１】本発明に使用される開口部用枠材を示す斜視説明図である。
【図２】本発明に使用される開口部用枠材を示す断面図である。
【図３】本発明に使用されるジョイント金物、錠前受け金物の説明図である。
【図４】本発明に使用されるジョイント金物の使用説明図である。
【図５】本発明に使用される錠前受け金物の使用説明図である。
【図６】本発明の開口部用枠材並びに扉の組立手順図である。
【図７】図６における開口部用枠材並びに扉の組立完了図である。
【図８】開口部用枠材に小ロッカー等の扉を組み込んだ状態説明図である。
【図９】扉の開き勝手を説明する斜視図である。
【図１０】本発明の錠前受け金物とダイヤル錠との関係を示す説明図である。
【図１１】扉の開き勝手を説明する小ロッカー扉の説明図である。
【図１２】扉の開き勝手を説明する小ロッカー扉の説明図である。
【図１３】本発明の実施例２を説明する斜視図である。
【図１４】本発明の実施例３を説明する斜視図である。
【図１５】本発明に係る従来例を示す説明図である。
【符号の説明】
【００５６】
１  開口部用枠材
２  第１のオーナージョイント嵌挿溝
３  第のオーナージョイント嵌挿溝
４  外周部
５  L型ジョイント金具
６a、６ｂ  ジョイント金具の嵌挿部
７a、７ｂ、７ｃ  ジョイント固着用ビス孔
８  回転軸を有するL型ジョイント金具
９  回転軸
１０a、１０ｂ  ジョイント金具の嵌挿部
１１a、１１ｂ  ジョイント固着用ビス孔
１２  錠前の受け部
１３a、１３ｂ  錠前受け部固着用ビス孔
１４  四方枠  
１５  ダイヤル錠
１６  郵便物の投入口
１７  扉
１８a、１８ｂ  軸孔
１９  ダイヤル錠のラッチ部
２０  支持軸
２１、２１a、２１ｂ、２１ｃ・・・開口部
２２  箱物
２３  傘の取っ手
２４  フック
２５  集合郵便受け本体
２６  天板
２７  側板
２８  底板
２９  仕切り板
３０  仕切り板
【図１】
2006230542.tif 000003
【図２】
2006230542.tif 000004
【図３】
2006230542.tif 000005
【図４】
2006230542.tif 000006
【図５】
2006230542.tif 000007
【図６】
2006230542.tif 000008
【図７】
2006230542.tif 000009
【図８】
2006230542.tif 000010
【図９】
2006230542.tif 000011
【図１０】
2006230542.tif 000012
【図１１】
2006230542.tif 000013
【図１２】
2006230542.tif 000014
【図１３】
2006230542.tif 000015
【図１４】
2006230542.tif 000016
【図１５】
2006230542.tif 000017